(57)【要約】 【課題】包装容器の上面板の開閉操作をワンタッチで簡単に行う。【解決手段】背面板２、左右の側面板３，６および正面板４が連設される一方、背面板２の上端縁に上面板７が、正面板４の下端縁に底面板がそれぞれ連設された包装容器１において、正面板４の上端縁に被係止片９が連設される一方、上面板７の、正面板４側の端縁に連設された係止板１２の裏面に、被係止片９と係脱可能な係止片１４が貼着され、上面板７と背面板２との折り目ｅが下方に向かって湾曲する円弧状に形成されている。これにより、背面板２および正面板４を挟み込むことにより、被係止片９と係止片１４との係止力が弱まり、円弧状の折り目ｅによって外方に突出して弾性変形している上面板の後端部が、その変形を回復する力を受けることにより、上面板７が跳ね上がり、開口する。【選択図】図５
2007326611.tif 000002
【特許請求の範囲】
【請求項１】
背面板、左右の側面板および正面板が折り目を介して連設される一方、背面板の上端縁に上面板が折り目を介して連設され、また、背面板または左右の側面板もしくは正面板のいずれかの下端縁に糊代が折り目を介して連設されるとともに、糊代が連設された下端縁と対向する下端縁に底面板が折り目を介して連設された包装容器において、前記正面板の上端縁に被係止片が折り目を介して連設される一方、上面板の、背面板との折り目に対向する端縁に係止板が折り目を介して連設されるとともに、上面板の左右の端縁にそれぞれ被覆片が折り目を介して連設され、また、被係止片と係脱可能な係止片が各被覆片に折り目を介して連設されて係止板の裏面に貼着され、さらに、前記上面板と背面板との折り目が下方に向かって湾曲する円弧状に形成されることを特徴とする包装容器。
【請求項２】
前記円弧状の折り目の略垂直二等分線を形成するように、直線状の折り目が上面板および背面板に一定長さにわたって形成されることを特徴とする請求項１記載の包装容器。
【発明の詳細な説明】
【技術分野】
【０００１】
本発明は、菓子などの包装容器に関するものである。
【背景技術】
【０００２】
従来より、菓子などを収容する包装容器としては、正面板、左右の側面板および背面板、上面板および底面板を有し、コートボールを展開図にしたがって打ち抜いた後、折り目に沿って折り込むとともに、所定部分を貼着して組み立てられた直方体状のものが広く採用されている。そして、差し込みフラップを有する上面板を開閉操作することにより、内部に収容された菓子などを取り出すようにしている。
【発明の開示】
【発明が解決しようとする課題】
【０００３】
ところで、前述した包装容器においては、上面板に付設された差し込みフラップを正面板の内面に沿うように差し込むことにより、上面板の意図しない開放を規制している。したがって、上面板を開閉操作する際には、正面板の内面側に差し込まれた差し込みフラップを抜き出し、あるいは、正面板の内面側に差し込みフラップを差し込む必要がある。しかも、一方の手で包装容器を支え、他方の手で差し込みフラップおよび上面板を操作しなければならず、作業が煩雑になるという欠点があった。
【０００４】
本発明は、このような問題点に鑑みてなされたもので、上面板の開閉操作をワンタッチで簡単に行うことのできる包装容器を提供するものである。
【課題を解決するための手段】
【０００５】
本発明は、背面板、左右の側面板および正面板が折り目を介して連設される一方、背面板の上端縁に上面板が折り目を介して連設され、また、背面板または左右の側面板もしくは正面板のいずれかの下端縁に糊代が折り目を介して連設されるとともに、糊代が連設された下端縁と対向する下端縁に底面板が折り目を介して連設された包装容器において、前記正面板の上端縁に被係止片が折り目を介して連設される一方、上面板の、背面板との折り目に対向する端縁に係止板が折り目を介して連設されるとともに、上面板の左右の端縁にそれぞれ被覆片が折り目を介して連設され、また、被係止片と係脱可能な係止片が各被覆片に折り目を介して連設されて係止板の裏面に貼着され、さらに、前記上面板と背面板との折り目が下方に向かって湾曲する円弧状に形成されることを特徴とするものである。
【０００６】
本発明によれば、背面板と上面板との折り目が下方に向かって湾曲した円弧状に形成されていることにより、円弧状の折り目に沿う背面板の上端部が若干外方に突出するとともに、円弧状の折り目に沿う上面板の後端部も外方に若干突出し、上面板の後端部は、緩やかに湾曲した傾斜面に弾性変形する。このため、上面板は、後端部の弾性変形を回復しようとする力を受けている。また、係止板に貼着された係止片の内端縁は、被係止片の先端縁に係止されており、係止板に連設された上面板の意図しない跳ね上がりによる開放が規制されている。
【０００７】
このような状態で、片手の２本の指によって正面板および背面板を挟み込めば、正面板が内方に湾曲されることにより、被係止片の先端縁と係止片の内端縁との係止力が弱まるとともに、背面板も内方に湾曲されて円弧状の折り目が内方に押し込まれ、上面板がその後端部を平面状に形状回復して跳ね上がろうとするのを助勢する。この際、上面板の跳ね上がろうとする力が、被係止片と係止片との係止力を上回ることにより、被係止片と係止片との係止状態を解除して上面板が自動的に跳ね上がり、上面を開口する。
【０００８】
一方、上面開口を閉鎖するときには、上面板を押し下げれば、上面板が円弧状の折り目回りに回動し、係止板が係止片とともに被係止片を押し倒して乗り越えことにより、被係止片に係止片が係止され、上面板の跳ね上がりによる開放を防止する。
【０００９】
この結果、片方の手の２本の指で背面板および正面板を挟み込むという簡単なワンタッチ操作によって上面板を自動的に跳ね上げて開口させることができ、収容された菓子などを上面開口を通して取り出すことができる。また、上面板を押し下げる簡単な操作によって上面板を閉鎖位置に保持することができる。
【００１０】
本発明において、前記円弧状の折り目の略垂直二等分線を形成するように、直線状の折り目が上面板および背面板に一定長さにわたって形成されると、背面板を押圧する際、外方に突出している円弧状の折り目に沿う背面板の上端部を小さな力で内方に押し込むことができる。
【発明の効果】
【００１１】
本発明によれば、片方の手の２本の指で背面板および正面板を挟み込むという簡単なワンタッチ操作によって上面板を自動的に跳ね上げて開口させることができる。また、上面板を押し下げる簡単な操作によって上面板を開口の閉鎖位置に保持することができる。
【発明を実施するための最良の形態】
【００１２】
以下、本発明の実施の形態を図面を参照して説明する。
【００１３】
図１乃至図３には、本発明の包装容器１の一実施形態が示されている。
【００１４】
この包装容器１は、背面板２の左端縁に、右側面板３、正面板４、糊代５が折り目ａ，ｂ，ｃを介して順に連設されるとともに、その右端縁に左側面板６が折り目ｄを介して連設される一方、背面板２の上端縁に上面板７が折り目ｅを介して連設されるとともに、その下端縁に糊代８が折り目ｆを介して連設され、また、正面板４の上端縁に被係止片９が折り目ｇを介して連設されるとともに、その下端縁に底面板１０が折り目ｈを介して連設され、さらに、右側面板３および左側面板６の各下端縁にフラップ１１が折り目ｉを介して連設される一方、上面板７の上端縁に係止板１２が折り目ｊを介して連設され、また、上面板７の左右各端縁に被覆片１３がそれぞれ折り目ｋを介して連設され、さらに、各被覆片１３の上端縁に係止片１４がそれぞれ折り目ｍを介して連設されて構成されている。
【００１５】
ここで、背面板２に対して上面板７を連設する折り目ｅは、両端部を除いて下方に向かって湾曲する円弧状に形成されている。
【００１６】
また、係止片１４は、折り目ｊと折り目ｋとの交点から斜め外方に延びる斜線と、上端縁から下方に延びる縦線によって区画される部分が切り欠かれており、係止板１２の左右各端縁から各係止片１４の内端縁（上端縁から下方に延びる縦方向切断端縁）までの距離は、被係止片９の高さ、すなわち、被係止片９の上端縁から正面板４との折り目ｇまでの距離に等しいか、わずかに大きく設定されている。
【００１７】
次に、このように構成された包装容器１の組立手順について説明する。
【００１８】
まず、図３の展開図にしたがってコートボールを打ち抜いた後、裏面が上面を向くように反転させ、右側面板３に対して正面板４を折り目ｂに沿って谷折りするとともに、糊代５の表面に接着剤を塗布した後、背面板２に対して左側面板６を折り目ｄに沿って谷折りし、左側面板６の裏面側端縁部を糊代５に貼着する。
【００１９】
次いで、正面板４に対して被係止片９を折り目ｇに沿って谷折りした後、左側面板６を背面板２に対して折り目ｄに沿って立ち上げる一方、各係止片１４を被覆片１３に対して折り目ｍに沿ってそれぞれ谷折りするとともに、各被覆片１３を上面板７に対して折り目ｋに沿ってそれぞれ谷折りし、さらに、上面板７を背面板２に対して折り目ｅに沿って谷折りする。この際、各被覆片１３が右側面板３および左側面板６の外面側にそれぞれ位置するように上面板７を折り込み、各係止片１４をその内端縁が被係止片９の先端縁に略当接する状態で、正面板４の表面に載置する。この後、係止片１４の表面に接着剤を塗布し、係止板１２を上面板７に対して折り目ｊに沿って谷折りし、各係止片１４に係止板１２の裏面を貼着する。
【００２０】
その後、底面板１０側開口を通して設定個数の菓子などを供給した後、各フラップ１１を右側面板３および左側面板６に対してそれぞれ折り目ｉに沿って谷折りするとともに、糊代８を背面板２に対して折り目ｆに沿って谷折りする。次いで、糊代８に接着剤を塗布した後、底面板１０を正面板４に対して折り目ｈに沿って谷折りし、底面板１０の裏面を糊代８に貼着する。これにより、内部に菓子などが収容された包装容器１が形成される。この後、詳細には図示しないが、包装容器１フィルムで包装されて出荷される。
【００２１】
このようにして組み立てられた包装容器１は、背面板２と上面板７との折り目ｅが下方に湾曲した円弧状に形成されていることにより、円弧状の折り目ｅに沿う背面板２の上端部が糊代８との折り目ｆを含む垂直面よりも若干外方に突出するとともに、円弧状の折り目ｅに沿う上面板７の後端部も外方に若干突出し、上面板７の後端部は、折り目ｅに向かって緩やかな湾曲面に弾性変形する（図４参照）。このため、上面板７は、後端部の弾性変形を回復しようとする力、すなわち、湾曲面から平面に回復しようとする力を受けている。
【００２２】
また、係止板１２の裏面に貼着された係止片１４の内端縁は、被係止片９の先端縁に係止されており、係止板１２に連設された上面板７の意図しない跳ね上がりが規制されている。つまり、前述した上面板７の湾曲面状の後端部が平面状に形状回復しようとする力、すなわち、上面板７が跳ね上がろうとする力を、係止板１２に貼着された係止片１４の内端縁と被係止片９の先端縁とが係止することにより防止している。
【００２３】
一方、店頭にて菓子などを購入した消費者は、フィルムを剥離した後、片方の手の親指と人指し指をそれぞれ正面板４と背面板２とにあてがい、それらの間隔が縮小する方向に挟み込む。これにより、正面板４が内方に押圧されて湾曲されることにより、正面板４に連設されている被係止片９も若干内方に向けて湾曲し、その先端縁と係止片１４の内端縁との係止長さが短縮し、係止力が弱まる。一方、背面板２も内方に押圧されて湾曲され、若干外方に突出された円弧状の折り目ｅが内方に押し込まれることにより、上面板７の後端部が平面状に形状回復し、上面板７が跳ね上がろうとするのを助勢する。この際、上面板７の跳ね上がろうとする力が、被係止片９の先端縁と係止片１４の内端縁との係止力よりも大きくなり、被係止片９と係止片１４との係止状態が解除されて上面板７が自動的に跳ね上がる（図５参照）。
【００２４】
このように、片方の手の２本の指で背面板２および正面板４を挟み込むというワンタッチ操作によって上面板７を自動的に跳ね上げて上面を開口させることができ、収容された菓子などを開放された上面開口を通して取り出すことができる。
【００２５】
一方、菓子などを取り出した後、上面開口を閉鎖するときには、上面板７を押し下げて折り目ｅ回りに回動させればよい。これにより、係止板１２が該係止板１２に貼着された係止片１４とともに被係止片９を押し倒し、被係止片９を乗り越える。係止板１２が係止片１４とともに被係止片９を乗り越えれば、被係止片９の先端縁に係止片１４の内端縁が係止し、上面板７の跳ね上がりを防止することができる（図６参照）。
【００２６】
なお、本実施例において、図７および図８に示すように、円弧状の折り目ｅのほぼ中間部に該折り目ｅに略直交して直線状の折り目ｎを上面板７および背面板２にわたって形成することが好ましい。このように折り目ｎを形成することにより、背面板２を正面板４とともに挟み込んで押圧する際、外方に突出した円弧状の折り目ｅを抵抗なく内方に押し込むことができ、小さな力で上面板７の後端部を平面状に回復させることができる。
【図面の簡単な説明】
【００２７】
【図１】本発明の包装容器の一実施形態を示す背面側からの斜視図である。
【図２】図１の包装容器の正面側からの斜視図である。
【図３】図１の包装容器の展開図である。
【図４】図１の包装容器を側面板と平行な垂直面で切断して模式的に示す部分拡大縦断面図である。
【図５】図１の包装容器の上面板の開放状態を説明する斜視図である。
【図６】図１の包装容器の上面板の閉鎖状態を説明する斜視図である。
【図７】図１の包装容器の変形例を示す斜視図である。
【図８】図７の包装容器の展開図である。
【符号の説明】
【００２８】
１  包装容器
２  背面板
３，６  側面板
４  正面板
５，８  糊代
７  上面板
９  被係止片
１０  底面板
１２  係止板
１４  係止片
ａ，ｂ，ｃ，ｄ，ｆ，ｇ，ｈ，ｉ，ｊ，ｋ，ｍ，ｎ  折り目
ｅ  円弧状の折り目
【図１】
2007326611.tif 000003
【図２】
2007326611.tif 000004
【図３】
2007326611.tif 000005
【図４】
2007326611.tif 000006
【図５】
2007326611.tif 000007
【図６】
2007326611.tif 000008
【図７】
2007326611.tif 000009
【図８】
2007326611.tif 000010